(57)【要約】【課題】操作盤の電子部品などが水に濡れて不具合を生じることがない構造を備えたエンジン発電機を提供する。【解決手段】ケーシングの天板端部から開口部内側に向かって突出した連結片と、該連結片の上部からケーシング外部側に向かって突出する上部覆い部材と、連結片の下部に設けられた樋部材と、上部覆い部材の下部に取り付けられた戸当たり部材とを備え、戸当たり部材は、操作盤の外面よりケーシング外部側に設けられ、樋部材は、連結片の下部外面に沿って配置される操作盤連結部の上端部からケーシング外部側に突出し、戸当たり部よりもケーシング内部側で操作盤の外面の上方を覆う外樋部を備えている。【選択図】図１
2014177930.tif 000002
【特許請求の範囲】
【請求項１】
矩形状の床台と、該床台の側縁に立設した一対の側板と、該両側板の上部を連結する天板とにより箱形に形成されたケーシングの一端に形成した開口部に操作盤を装着するとともに、該操作盤の外面部を覆う扉部材を開閉可能に設けたエンジン発電機において、前記天板の端部から開口部内側に向かって突出した連結片と、該連結片の上部からケーシング外部側に向かって突出する上部覆い部材と、前記連結片の下部に設けられた樋部材と、前記上部覆い部材の下部に取り付けられた戸当たり部材とを備え、前記上部覆い部材は、ケーシング内部側に、下方に屈曲して連結片に当接する当接片と、ケーシング外部側から下方に屈曲した水切片とを備え、前記戸当たり部材は、前記操作盤の外面よりケーシング外部側に設けられるとともに、該戸当たり部材の下端部に、前記扉部材の外縁部にシール材を介して当接する戸当たり部が設けられ、前記樋部材は、前記連結片の下部外面に沿って配置される操作盤連結部と、該操作盤連結部の上端部からケーシング外部側に突出し、前記戸当たり部よりもケーシング内部側で、前記操作盤の外面の上方を覆う外樋部とを備えていることを特徴とするエンジン発電機。
【請求項２】
前記操作盤連結部の内面側に、ケーシング内部側に突出する内樋部が設けられていることを特徴とする請求項１記載のエンジン発電機。
【発明の詳細な説明】
【技術分野】
【０００１】
本発明は、エンジン発電機に関し、詳しくは、箱形ケーシングの一端に設けた開口部に操作盤を取り付けたエンジン発電機に関する。
【背景技術】
【０００２】
エンジン発電機として、箱形ケーシングの一端に設けた開口部に操作盤（制御盤）を設けるとともに、該操作盤の外部側を覆う扉部材を開閉可能に設けたエンジン発電機が知られている。このようなエンジン発電機では、操作盤をケーシングのパネル外面よりケーシング内部側に位置させるとともに、パネル外面と扉部材外面とを面一に配置し、扉部材外縁と開口部内縁とをシール材を介して当接させることにより、操作盤に雨水が掛かることを防止するようにしている（例えば、特許文献１参照。）。
【先行技術文献】
【特許文献】
【０００３】
【特許文献１】実用新案登録第３１３５９６３号公報（図１）
【発明の概要】
【発明が解決しようとする課題】
【０００４】
従来の扉部材のシール構造は、風雨が多少強くても十分な水密性を得ることは可能であるが、ケーシング外面の洗浄に高圧洗浄機を使用した場合、通常の雨水とは異なり、扉部材の周囲に水平方向や下方向から高圧洗浄水が掛かるため、通常の使用では予期せぬ箇所に水が溜まったり、浸入したりしてしまうことがあった。例えば、扉部材上部のシール材の上に水が溜まると、扉部材を開いたときに下方の操作盤の外面に沿って水が流下し、操作盤に設けられている各種スイッチや計器などが水に濡れてしまうことがある。また、天板の連結片と上部覆い部材の当接片との間から水が浸入することもある。これが何回も繰り返されると、スイッチや計器などの取付部を通って操作盤の裏側に水が浸入し、操作盤の裏側に設けられている各種電子部品が水に濡れて不具合を生じるおそれがあった。
【０００５】
そこで本発明は、扉部材上部のシール材の部分やまた、天板の連結片と上部覆い部材の当接片との間から水が落下したとしても、操作盤の電子部品などに悪影響を及ぼすことがない構造を備えたエンジン発電機を提供することを目的としている。
【課題を解決するための手段】
【０００６】
上記目的を達成するため、本発明のエンジン発電機は、矩形状の床台と、該床台の側縁に立設した一対の側板と、該両側板の上部を連結する天板とにより箱形に形成されたケーシングの一端に形成した開口部に操作盤を装着するとともに、該操作盤の外面部を覆う扉部材を開閉可能に設けたエンジン発電機において、前記天板の端部から開口部内側に向かって突出した連結片と、該連結片の上部からケーシング外部側に向かって突出する上部覆い部材と、前記連結片の下部に設けられた樋部材と、前記上部覆い部材の下部に取り付けられた戸当たり部材とを備え、前記上部覆い部材は、ケーシング内部側に、下方に屈曲して連結片に当接する当接片と、ケーシング外部側から下方に屈曲した水切片とを備え、前記戸当たり部材は、前記操作盤の外面よりケーシング外部側に設けられるとともに、該戸当たり部材の下端部に、前記扉部材の外縁部にシール材を介して当接する戸当たり部が設けられ、前記樋部材は、前記連結片の下部外面に沿って配置される操作盤連結部と、該操作盤連結部の上端部からケーシング外部側に突出し、前記戸当たり部よりもケーシング内部側で、前記操作盤の外面の上方を覆う外樋部とを備えていることを特徴とし、さらに、前記操作盤連結部の内面側にケーシング内部側に突出する内樋部が設けられていることを特徴としている。
【発明の効果】
【０００７】
本発明のエンジン発電機によれば、扉部材と戸当たり部材とがシール材を介して当接する位置を、操作盤の外面よりケーシング外部側に設定したので、扉部材を開いたときにシール材の上に溜まった水が落下しても、操作盤の外面が濡れることはなく、操作盤に設けられている各種機器を保護することができる。さらに、操作盤の外面を覆う外樋部を設けることにより、天板の連結片と上部覆い部材の当接片との間から浸入した水を外樋部で受けることができ、操作盤外面に水が流下することを防止できる。また、内樋部を設けることにより、各部材の隙間などからケーシング内部側に浸入した水を内樋部で受けることができるので、操作盤内面に水が流下することを防止できる。
【図面の簡単な説明】
【０００８】
【図１】本発明のエンジン発電機の一形態例を示す要部の断面図である。
【図２】操作盤を取り付ける状態を示す側面図である。
【図３】図２のIII−III矢視面図である。
【図４】操作盤を取り付けた後、カバーパネルを取り付ける状態を示す側面図である。
【図５】図４のＶ−Ｖ矢視面図である。
【図６】操作盤及びカバーパネルを取り付けた状態を示す側面図である。
【図７】操作盤及びカバーパネルを取り付けた状態を示す正面図である。
【発明を実施するための形態】
【０００９】
まず、図２乃至図７に示すように、本形態例に示すエンジン発電機は、平面視矩形状の床台１１の側縁に立設した左右一対の側板１２，１２と、該両側板１２，１２の上部を連結する天板１３と、背面板（図示せず）とによって一端正面側に開口部１４を形成した箱形のケーシング１５の内部に、発電機やエンジンなどの機器を収容したものであって、前記開口部１４には、上部に操作盤１６が設けられ、中段に出力端子盤１７が設けられるとともに、操作盤１６及び出力端子盤１７を覆うようにしてカバーパネル１８が取り付けられている。
【００１０】
各側板１２，１２の開口部１４側の端部には、開口部内側に向かって突出した連結片１２ａ，１２ａがそれぞれ設けられ、天井パネル１３の開口部１４側の端部にも、開口部内側に向かって下方に突出した連結片１３ａが設けられている。また、床台１１の外面には、前記側板１２や前記カバーパネル１８の底部を支持する支持片１１ａが設けられている。
【００１１】
カバーパネル１８は、操作盤１６に対応した上部開口１９ａと出力端子盤１７に対応した中段部開口１９ｂとを有するパネル部１９の両側部及び上部に、ケーシング側に向かって突出した側カバー部２０及び上部カバー部２１をそれぞれ設けたものであって、各カバー部２０，２１のケーシング側には、前記各連結片１２ａ，１３ａの外面に当接する当接片２０ａ，２１ａが開口部内側に向かって突設されている。さらに、上部カバー部２１のケーシング外部側には、開口部内側、即ち下方に向かって水切片２１ｂが突設され、中央部下面には、戸当たり部材２２が設けられている。
【００１２】
前記上部開口１９ａには、操作盤１６の外面を覆う開閉可能な扉部材２３が設けられている。この扉部材２３は、上部開口１９ａの開口寸法より僅かに小さく形成され、一方の側カバー部２０にヒンジ２３ａを介して開閉可能に設けられている。扉部材２３の外縁部には、操作盤１６の方向に突出した戸当たり片２３ｂが設けられ、該戸当たり片２３ｂの先端にシール材２３ｃが取り付けられている。
【００１３】
出力端子盤１７は、ケーシング外部側に端子収納凹部を有する箱形に形成されており、ケーシング内部側外縁には、前記連結片１２ａ、１２ａに対応したフランジ状突片１７ａが設けられ、このフランジ状突片１７ａと連結片１２ａとを当接させた状態で開口部１４の中段部に取り付けられる。
【００１４】
操作盤１６は、基板２４の外面側にスイッチやメータといった操作部品や表示部品２４ａを設けるとともに、内面側に各種電子部品２４ｂを設けたもので、基板２４の上部には、天井パネル１３の連結片１３ａの下部に当接可能な樋部材２５が設けられ、基板２４の両側部には、前記連結片１２ａ、１２ａの外面に当接するフランジ状突片２４ｃが設けられている。樋部材２５は、基板２４のケーシング内部側上部に固着されて前記連結片１３ａの下部外面に沿って配置される操作盤連結部２５ａと、該操作盤連結部２５ａの上端部からケーシング外部側に突出し、突出端を上方に屈曲させた外樋部２５ｂと、操作盤連結部２５ａの下部側からケーシング内部側に突出し、突出端を上方に屈曲させた内樋部２５ｃとを備えている。
【００１５】
前記開口部１４には、出力端子盤１７が取り付けられた後、該出力端子盤１７の上部に操作盤１６が取り付けられ、最後にカバーパネル１８が取り付けられる。カバーパネル１８を取り付けた後の操作盤１６の上方部の状態は、図１に示すように、前記天板１３の連結片１３ａに上部カバー部２１の当接片２１ａが当接した状態になり、カバーパネル１８の上部カバー部２１が天板１３の端部から水平方向に突出して操作盤１６の上方を覆う上部覆い部材となる。上部カバー部２１の下部に設けられた戸当たり部材２２は、前記操作盤１６の外面よりもケーシング外部側に配置されており、該戸当たり部材２２の先端部に扉部材２３に設けられたシール材２３ｃが当接してシール性を確保している。
【００１６】
また、前記樋部材２５の外樋部２５ｂは、戸当たり部材２２よりもケーシング内部側で、操作盤１６の外面上方を覆うように配置されており、外樋部２５ｂの先端高さは、当接片２１ａの下端より高い位置に設定されている。前記内樋部２５ｃは、天板１３の連結片１３ａの下方を通過可能な高さに形成されており、連結片１３ａの下方を通過してケーシング内部側に突出し、操作盤１６の内面上方を覆うように配置されている。
【００１７】
このように操作盤１６の上方部を形成することにより、通常の風雨は、水切片２１ｂによって内部側への浸入が阻止され、さらに、扉部材２３の上部の戸当たり片２３ｂがケーシング内部側に向かって上り勾配となっていることで、シール材２３ｃの部分への浸入が阻止される。一方、高圧洗浄水の場合は、水平方向から水が浸入するため、シール材２３ｃの部分まで水が浸入し、シール材２３ｃの上に水が溜まることがある。この場合、シール材２３ｃの上に水が溜まった状態で扉部材２３を開いてシール材２３ｃが離れたときに水が落下しても、シール材２３ｃの位置が操作盤１６の外面よりもケーシング外部側に位置しているので、落下した水が操作盤１６の外面に接触することなく下方に落ちていくので、操作盤１６の外面に水が付着して操作部品や表示部品２４ａが濡れることはない。
【００１８】
一方、高圧洗浄の際に、連結片１３ａと当接片２１ａとの間から水が浸入した場合は、連結片１３ａの下部に設けられた外樋部２５ｂにより、操作盤１６の外面に向かって水が流下することが阻止される。さらに、連結片１３ａと樋部材２５との間からケーシング内部側に浸入した水は、内樋部２５ｃにより、操作盤１６の内面に向かって流下することを防止される。これにより、操作盤１６に設けられている操作部品や表示部品２４ａ、電子部品２４ｂなどが水に濡れて不具合を生じることを防止できる。
【００１９】
また、外樋部２５ｂの先端高さを当接片２１ａの下端より高い位置に設定したことにより、連結片１３ａと当接片２１ａとの間から浸入した水を外樋部２５ｂで確実に捕捉することができ、外樋部２５ｂから溢れて操作盤１６の外面に向かって水が流下することを確実に防止できる。さらに、内樋部２５ｃの先端高さを、連結片１３ａの下方を通過可能な高さに設定することにより、樋部材２５を固着した状態の操作盤１６をケーシング外部側から容易に着脱でき、操作盤１６の内面に設けた電子部品２４ｂの保守、交換などを容易に行うことができる。
【００２０】
なお、外樋部２５ｂや内樋部２５ｃは、基板２４の幅寸法に対応した長さで形成すればよく、外樋部２５ｂや内樋部２５ｃの端部からは、連結片１２ａの外面、内面に沿って水を流下させてもよく、適宜な形状の縦樋を設けてもよい。また、外樋部２５ｂや内樋部２５ｃは、折り曲げ加工によって樋部材２５と一体に形成してもよく、別部材を溶接によって固着してもよい。さらに、各部材の組み付けは、ボルト結合や溶接接合など、組み付け位置によって適宜な構造を採用することができる。
【符号の説明】
【００２１】
１１…床台、１１ａ…支持片、１２…側板、１２ａ…連結片、１３…天板、１３ａ…連結片、１４…開口部、１５…ケーシング、１６…操作盤、１７…出力端子盤、１７ａ…フランジ状突片、１８…カバーパネル、１９…パネル部、１９ａ…上部開口、１９ｂ…中段部開口、２０…側カバー部、２０ａ…当接片、２１…上部カバー部、２１ａ…当接片、２１ｂ…水切片、２２…戸当たり部材、２３…扉部材、２３ａ…ヒンジ、２３ｂ…戸当たり片、２３ｃ…シール材、２４…基板、２４ａ…表示部品、２４ｂ…電子部品、２４ｃ…フランジ状突片、２５…樋部材、２５ａ…操作盤連結部、２５ｂ…外樋部、２５ｃ…内樋部
【図１】
2014177930.tif 000003
【図２】
2014177930.tif 000004
【図３】
2014177930.tif 000005
【図４】
2014177930.tif 000006
【図５】
2014177930.tif 000007
【図６】
2014177930.tif 000008
【図７】
2014177930.tif 000009